(57)【要約】【課題】特定の見る権限のある人々のみに表示内容を見せることができ、かつ長時間表示による焼き付きを防止することの可能なディスプレイ装置を提供する。【解決手段】表示を許可するための認証手段を設けるとともに、周囲の物理的条件を判断するセンサ５２を設け、表示が許可され、かつ見せるべき対象者が居ると判断されるときのみ、表示部に所定の入力データの前記文字及び／又は画像を表示させるよう制御している。【選択図】　　　　図１
2004093885.tif 000002
【特許請求の範囲】
【請求項１】
表示を許可するための認証手段と、
周囲の物理的条件を判断するセンサ手段と、
所定の入力データを文字及び／又は画像として表示する表示部と、
前記認証手段が、表示を許可し、かつ前記センサ手段が前記周囲の物理的条件を所定のものと判断したときのみ、前記表示部に所定の入力データの前記文字及び／又は画像を表示させるよう制御する制御手段とを、
有するディスプレイ装置。
【請求項２】
前記制御手段が、前記表示部に所定の入力データの前記文字及び／又は画像を表示させないときは、所定のスクリーンセーバを表示させるか、あるいは画面を消灯するよう制御するよう構成されている請求項１に記載のディスプレイ装置。
【発明の詳細な説明】
【０００１】
【発明の属する技術分野】
本発明は、ディスプレイ装置に関し、特に掲示板などとして用いるのに好適なディスプレイ装置に関する。
【０００２】
【従来の技術】
家庭やオフィスなどでＣＲＴや液晶などの表示装置を用いて所定内容を他人に伝達するためにこれらを掲示板的に使用する場合がある。
【０００３】
【発明が解決しようとする課題】
しかし、掲示板といっても、表示する内容によっては、不特定多数の人々には見せたくないものもある。すなわち、特定の見る権限のある人々にのみ見せるようにしたいという希望がある。また掲示板は、一般に同一内容の文字や画像を長時間表示し続けるので、表示画面に、いわゆる焼き付きを生じることがある。また、長時間の連続表示は、ＣＲＴや液晶などの表示装置の寿命を縮めるという問題がある。
【０００４】
したがって、本発明は特定の見る権限のある人々のみに表示内容を見せることができ、かつ長時間表示による焼き付きや寿命の短縮を防止することの可能なディスプレイ装置を提供することを目的とする。
【０００５】
【課題を解決するための手段】
上記目的を達成するため、本発明では表示を許可するための認証手段を設けるとともに、周囲の物理的条件を判断するセンサ手段を設け、表示が許可され、かつ見せるべき対象者が居ると判断されるときのみ、表示部に所定の入力データの前記文字及び／又は画像を表示させるよう制御している。
【０００６】
すなわち、本発明によれば、表示を許可するための認証手段と、
周囲の物理的条件を判断するセンサ手段と、
所定の入力データを文字及び／又は画像として表示する表示部と、
前記認証手段が、表示を許可し、かつ前記センサ手段が前記周囲の物理的条件を所定のものと判断したときのみ、前記表示部に所定の入力データの前記文字及び／又は画像を表示させるよう制御する制御手段とを、
有するディスプレイ装置が提供される。
【０００７】
なお、前記制御手段が、前記表示部に所定の入力データの前記文字及び／又は画像を表示させないときは、所定のスクリーンセーバを表示させるか、あるいは画面を消灯するよう制御するよう構成されていることは本発明の好ましい態様である。
【０００８】
【発明の実施の形態】
以下、図面を参照して本発明の好ましい実施の形態について説明する。図１は本発明に係るディスプレイ装置の好ましい実施の形態を周辺の関連する機器と共に示した模式図である。ディスプレイ装置１０は、例えば個人の住宅（ＳＯＨＯを含む）２０内に設置されているものとする。ディスプレイ１０は、有線、無線でネットワーク終端装置３０、無線ＬＡＮ型携帯端末３２、３４、パソコン３６、テレビ３８、ドアホン４０、センサ５２などと接続可能とされている。また、ネットワーク終端装置３０は、ＩＰ網（インターネット・イントラネット）４８と移動体通信網５０を順次介して携帯電話４２、４６と接続可能である。無線ＬＡＮ型携帯端末としては、図示の無線ＬＡＮ型携帯端末（携帯電話）３２や多機能無線リモコン３４の他にＰＤＡやハンドヘルドＰＣなどを用いることができる。なお、センサ５２は、周囲の物理的条件を判断するセンサ手段として機能する。
【０００９】
ディスプレイ装置１０は、電子化掲示板として利用されるよう構成され、件名、記入者、時刻、メモなどの欄を有している。また、ディスプレイ装置１０は、ＩＰ網と宅内のホームネットワーク（有線・無線）間のゲートウェイ機能とホームサーバ機能を有している。なお、図１の実施の形態では、ディスプレイ装置１０がホームネットワーク系の機器を兼ねているが、ホームネットワーク系の機器を兼ねることは必須ではなく、必要に応じて任意に設定されるものである。
【００１０】
センサ５２としては、通過検知型センサや、焦電型の人センサなど人の接近を検知するものを使用することができる。検知結果は、無線でディスプレイ装置１０に送信される。
【００１１】
図２は、図１の実施の形態におけるディスプレイ装置１０内のホームサーバ機能を構成するＣＰＵ（中央演算処理装置）の動作を示すフローチャートである。ディスプレイ装置１０は、通常は所定のスクリーンセーバが動作するよう構成されているので、この状態では画面には図１に示すような掲示板の内容は一切示されていない。今、無線ＬＡＮ型携帯端末３２を保持した人が外出先から自宅２０に戻り、ディスプレイ装置１０の無線ＬＡＮの通信可能範囲に入ったものとする。
【００１２】
無線ＬＡＮ型携帯端末３２は、所定周期で認証要求を発信するよう構成されているので、図２のフローチャートのステップＳ１で認証要求有りと判断される。認証のためには、あらかじめ登録した認証コードなどが照合され、正規の認証コードであると判断されると（ステップＳ２でＹＥＳ）、人の接近の有無がステップＳ３で判断される。すなわち、センサ５２で人の接近が検出されるとステップＳ３はＹＥＳとなり、ステップＳ４でディスプレイ装置１０のスクリーンセーバが解除される。したがって、図１に示すように掲示板の内容が表示され、ユーザはこれを目視することができる。ステップＳ５で、例えば３０秒程度の所定時間が経過したことが検出されると、ステップＳ６へ行き再びスクリーンセーバをオンとして１サイクルの動作を終了してリターンする。ステップＳ２、Ｓ３でＮＯとなったときもステップＳ６へ行きスクリーンセーバをオンとして１サイクルの動作を終了してリターンする。
【００１３】
上記実施の形態では、無線ＬＡＮ型携帯端末３２を保持した人がディスプレイ装置１０の無線ＬＡＮの通信可能範囲に入ったものとして説明したが、携帯電話４２、４６を保持する人が自宅の内外からディスプレイ装置１０に電話をかけることにより認証を受けることもできる。すなわち、ディスプレイ装置１０は、無線ＬＡＮ型携帯端末３２を内線電話の子機として機能させるＩＰ電話としての機能を有しているので、所定の電話番号に発呼することにより、呼制御情報の発番号通知に準ずるプロトコルデータから携帯電話の電話番号を通知することができる。よって、この発番号を認証のキーとして利用することができるので、外出先からでも掲示板への書き込みが可能となる。なお、スクリーンセーバを解除するためにセンサ５２による検知を条件とすることもできる。
【００１４】
上記実施の形態は、家庭やＳＯＨＯ内に配置されたディスプレイ装置１０を例にとり説明したが、本発明のディスプレイ装置は、会社や公共施設などにおける様々な掲示板としてのディスプレイ装置に応用可能である。その一例として、会社の会議室にディスプレイ装置を設置しておき、通常はスクリーンセーバを動作させ、動く壁画的存在としておき、所定のユーザが携帯電話でディスプレイ装置に対して発呼すると、自動認証により、当該ユーザや当該ユーザを含むグループに特化した必要情報が表示されるよう構成することもできる。
【００１５】
また、証券会社のウィンドウにある株価表示ボードの付近に本発明のディスプレイ装置を配しておき、通常は環境画像や企業セクター毎の株価を表示したりし、この証券会社に登録された顧客が、自分の携帯電話からディスプレイ装置に発呼すると、認証が完了して当該ユーザが必要とするあらかじめ登録してある銘柄（ポートフォリオ）の株価やその他の情報が表示されるよう構成することもできる。
【００１６】
【発明の効果】
以上説明したように本発明によれば、特定の見る権限のある人々のみに掲示板などの表示内容を見せることができ、かつ長時間表示による焼き付きを防止することの可能なディスプレイ装置を提供することができる。
【図面の簡単な説明】
【図１】本発明に係るディスプレイ装置の実施の形態と、その周辺機器との関係を示す模式図である。
【図２】図１の実施の形態のディスプレイ装置における処理例を示すフローチャートである。
【符号の説明】
１０　ディスプレイ装置（電子化掲示板）
２０　住宅
３０　ネットワーク終端装置
３２、３４　無線ＬＡＮ型携帯端末
３６　パソコン
３８　テレビ
４０　ドアホン
４２、４６　携帯電話
４８　ＩＰ網
５０　移動体通信網
５２　センサ（周囲の物理的条件を判断するセンサ手段）
【図１】
2004093885.tif 000003
【図２】
2004093885.tif 000004